(57)【要約】【構成】  通気性材によって成る平板状の基材（１）の一面に柔軟な材質の細繊維状の微細物質捕捉材（２）がビッシリと植毛されているフィルターである。【効果】  微細物質は、微細物質捕捉材（２）の表面部において極めて高い確率で捕捉される。微細物質捕捉材（２）内に深く潜りこまないので、簡単・確実に微細物質を取り除く事ができ、フィルターの消耗度も極めて低く、目詰まりもＩ起こらない。【選択図】  「図３」
2005205383.tif 000002
【特許請求の範囲】
【請求項１】
通気性材によって成る平板状の基材の一面に柔軟な材質の細繊維状の微細物質捕捉材がビッシリと植毛されていることを特徴とするフィルター。
【発明の詳細な説明】
【発明の詳細な説明】
【技術分野】
【０００１】  本発明は、粉体等の微細な物質を捕捉するのに好適なフィルターの新規な提案に関し、例えば、塗装業界において行われている粉体塗装において、被塗装物（製品）に付着しない粉体塗料を捕捉し回収するための装置に適用して好適なフィルターに関する。
【背景技術】
【０００２】  一例を用いて説明するに、塗装技術分野においては、静電気を利用した粉体塗料を用いて塗装を行う粉体塗装があるが、この粉体塗装は、従来の吹付塗装に比べて、塗膜の厚い軟らかい感触の製品仕上がりが期待できることから、近年目覚ましい需要の伸びをみせている。【０００３】  ところで、この粉体塗装の作業形態はというと、後方に空気吸引装置を配し、当該空気吸引装置の前に配置した被塗装物（製品）に向けてエアガンから粉体塗料を吹き付けるもので、被塗装物に付着しない粉体塗料は、エアガンにより付与されたそれ自身の前方への突進作用と、空気吸引装置による吸引作用により空気吸引装置内に強く引き込まれようとする。【０００４】  上記の作業形態によるところから、被塗装物に付着する粉体塗料の付着率は５０％にも満たず、すなわち、使用する粉体塗料の半分程度は、そのままでは棄てられてしまう運命にあり、そこで、被塗装物に付着しないで空気吸引装置に引き込まれようとする粉体塗料を捕捉・回収し再使用に供しようとする技術も種々成されてはいるが、粉体塗料の十分な捕捉と回収が得られないとか、また、捕捉率（回収率）を上げようとすれば、粉体塗料を捕捉する役目を成すフィルターの目詰まりの問題に突き当たる等、決定的な有効策が見出せていないのが実情である。【０００５】  要するに、従来のフィルターに係る技術思想は、粉体塗料の捕捉率アップを図るためには、フィルターの網目を細かくして行く（抵抗を大きくして行く）程目的達成度が高くなる、という基本理念に立脚しており、そして、その基本原理といえるものは、フィルター自体の組織内（体内）に捕捉物（粉体塗料）を取り込むというものである。【０００６】  そしてその結果は、粉体塗料の捕捉率の向上に比例して、フィルターの目詰まりが頻繁に起こってしまうというジレンマに陥り、かつ、その目詰まりは、網目が細かくなれば成る程、詰まった捕捉物（粉体塗料）の除去に手間と時間がかかり（網目に詰まった捕捉物を弾き出し、それを叩き落とすという、ツーアクション的な動作が必要で、またフィルターの掃除の手間も馬鹿にならない）、作業能率を著しく落としてしまうために、結局、フィルターを頻繁に取り替えざるを得なくなっているのが現場の実態である。
【発明が解決しようとする課題】
【０００７】  本発明は、このような粉体塗料等の非常に細かい物質（以下、「微細物質」という）の捕捉率を抜本的に引き上げることができ、かつ作業性もフィルター自体の耐久性も損ねない新規なフィルターを提案することを解決課題とするものである。
【課題を解決するための手段】
【０００８】  従来の技術では、空気を通す微細な網目等を有する板状材をもってフィルターとし、材質、肉厚、網目等の工夫により微細物質の捕捉率を上げるようにしていたが、本発明では、従来のこのフィルターの技術思想を根本的に改めることにより課題解決の道筋を見出したものである。
【０００９】  すなわち、本発明では、通気性材によって成る平板状の基材の一面に柔軟な材質の細繊維状の微細物質捕捉材がビッシリと植毛されていることを特徴とするフィルター、を開発したことにより、課題の解決を図ったものである。
【発明を実施するための最良の形態】
【００１０】  以下、一実施例を示した添付図面を参照して本発明を詳述する。
「図１」は本発明フィルター（Ｆ）の表面図、「図２」は同フィルターの裏面図、「図３」は「図Ｉ」のＡ−Ａ線拡大断面図をそれぞれ示しており、（１）は基材であり、本実施例では空気を通す物質である比較的織目の粗い布が採用されている。【００１１】  （２）は柔軟な極細繊維の密集体である微細物質捕捉材であり、基材（１）の表面にビッシリと植毛されている。【００１２】  この微細物質捕捉材（２）は材質は問わず、植物性繊維材、合成繊維材等任意に採用すればよく、本実施例では、長さが３ｃｍ内外の極細の軟らかい合成繊維材が採用されている。【００１３】  本実施例では、その一辺が支持体（３）に止具（４）にて固着されていて、支持体（３）を介して目的個所に取付けられるようにしてある例が示されている。【００１４】  本発明フィルターは上記構成になり、利用範囲は一切問わないが、前述してあるように、例えば、粉体塗料の回収装置における粉体塗料の捕捉手段としてのフィルターとして利用するのが極めて有効であり、その適用例を示した「図４」に基づき概略説明を加えることとする。【００１５】  「図４」は、粉体塗料回収装置の前面図を示しもので、同図において、（５）は同装置の垂直本体枠であり、同本体枠（５）は、キャスター（６）により移動可能になっている。【００１６】  垂直本体枠（５）の前面下部には水平受枠（７）が蝶設（８）されており、垂直本体枠（５）の手前側で粉体塗装作業をするとき（手前側に被塗装物を配置し、すなわち例えば、吊下棒に多数の被塗装物を左右方向に位置移動可能に任意の間隔で吊るしておき、エアガンにより被塗装物に向けて粉体塗料を順次噴射するとき）、垂直本体枠（５）に向け突進しないで落下する一部（比率的には極く少量）の粉体塗料を該水平受枠（７）にて受け止め一時的に収容する。【００１７】  （Ｆ）は、本発明フィルターであり、図示してないが、その頂部が垂直本体枠（５）に取付けられており、本発明フィルター（Ｆ）は、その取付頂部を支点として垂直本体枠（５）に揺動自在に吊下げられている。【００１８】  （９）は、粉体塗料叩落枠であり、図示していない駆動手段にて前後に強制駆動されるようになっており、同駆動により本発明フィルター（Ｆ）が、同粉体塗料叩落枠（９）によって強く叩かれ、以って、同フィルター（Ｆ）に捕捉された粉体塗料は、この粉体塗料叩落枠（９）の動作によりフィルター（Ｆ）から落下するようになっている。【００１９】  尚、本発明には直接関係しないので、図示は省略してあるが、垂直本体枠（５）の背部には、強制空気吸引装置（ファン）、粉体塗料叩落枠（９）を前後に強制駆動させるための駆動源（モーター）とカム機構等の粉体塗料叩落枠用駆動手段、本発明フィルター（Ｆ）から落下した粉体塗料の回収箱等が所要個所に配設されており、所期の目的（粉体塗料の捕捉・回収）が達成されるようになっている。【００２０】  垂直本体枠（５）の手前側で、エアガンを用いて粉体塗料の吹き付け作業を行うとき、被塗装物に付着しない粉体塗料の大部分は、エアガンにより与えられたそれ自身の前進作用と、垂直本体枠（５）の背部に取付けられたファンの吸引作用により、本発明フィルター（Ｆ）に突き当たるが、それら粉体塗料は���微細物質捕捉材（２）にてほぼ完璧に捕捉されるので、該微細物質捕捉材（２）を通り抜け垂直本体枠（５）の背部に取付けられたファンに引き込まれる空気は、粉体塗料を殆んど含まないものとなっている。【００２１】  これは言い換えれば、本発明フィルター（Ｆ）によれば、粉体塗料の捕捉率は抜群なものが得られることに他ならず、必然的結果として、本発明フィルター（Ｆ）を通り抜けた空気の後処理（空気中の粉体塗料の除去、清浄化）も、極めて簡単に行えるか、殆んど不要となることを意味するものである。
【発明の効果】
【００２２】  本発明フィルター（Ｆ）によれば、粉体塗料（微細物質）は、微細物質捕捉材（２）によって、極めて高い確率で捕捉される。
【００２３】  この捕捉作用の厳密な科学的解明は難しいが（種々の構造のフィルターを考案し実験した結果の集大成として本発明に到達する事が出来た）、本発明フィルター（Ｆ）を用いて相当多量の粉体塗装作業を進めた後で、微細物質捕捉材（２）を仔細に観察してみると、無数の極細の多少毛足の長い柔軟な繊維材の密集体になる微細物質捕捉材（２）の、各繊維材の一本一本の根元近くまで粉体塗料が絡み付くようにして存在している（捕捉されている）ことが確認された。
【００２４】  これは、微細物質捕捉材（２）が、ファンによる風圧を受けて動作することにより起こるものと考えられる。すなわち、まず同捕捉材（２）を構成する一本一本の繊維材を見れば、ファンに引っ張られて傾斜方向へ寝て行く（倒れて行く）こと、一方、本発明フィルター（Ｆ）自体は、ファンに引っ張られてそれ自体が揺動すること、の双方により、微細物質捕捉材（２）に静電気が発生し、粉体塗料の上記作用が得られるものと考えられる。
【００２５】  そして、このように捕捉された粉体塗料は、微細物質捕捉材（２）内に存在しているだけ、言い換えれば、外的圧力により容易に姿勢変化（起倒動作）を起こす無数の繊維材の中に滞留しているだけなので（すなわち、従来の目詰まり的な状態とは全く無縁）、粉体塗料叩落枠（９）を駆動させることによって、繊維材の上記動作が促され、簡単・確実に本発明フィルター（Ｆ）から取り除く事ができる。
【００２６】  従って、フィルター（Ｆ）の消耗度も極めて低く、かつフィルター（Ｆ）自体の目詰まりも起こらないから、従来のように、頻繁に作業を中断してフィルターの目詰まり除去作業をする必要もなく、作業能率的な貢献度も非常に大きい。
【００２７】  さらに、微細物質捕捉材（２）による粉体塗料の捕捉率が極めて高いので、本発明フィルター（Ｆ）を通り抜けた空気の後処理の作業負担も抜本的に軽減されるか殆んど不要となる。
【００２８】  本発明フィルターは、粉体、塵等の微細な物質の捕捉手段として多方面に利用可能であり、環境汚染防止に寄与することの価値は絶大である。
【図面の簡単な説明】  「図１」・・・本発明フィルター（Ｆ）の表面図
「図２」・・・同フィルター（Ｆ）の裏面図
「図３」・・・「図Ｉ」のＡ−Ａ線拡大断面図
「図４」・・・粉体塗料回収装置の前面図
【符号の説明】
１・・・基材
２・・・微細物質捕捉材
３・・・支持体
４・・・止具
５・・・本体枠
６・・・キャスター
７・・・水平受枠
８・・・蝶番
９・・・粉体塗料叩落枠
１０・・・支持脚
Ｆ・・・本発明フィルター
【図１】
2005205383.tif 000003
【図２】
2005205383.tif 000004
【図３】
2005205383.tif 000005
【図４】
2005205383.tif 000006